(57)【要約】      （修正有）【課題】ボールを脱落させることなく、従来以上の高作動角を実現可能な固定型等速自在継手を提供する。【解決手段】外側継手部材１と、内側継手部材２と、複数のボールトラックに１個ずつ配されたトルク伝達用のボール４と、前記ボール４を保持する保持器５とを備え、保持器５の外周面と内周面を、継手中心Ｏを挟んで軸方向反対側に等距離だけオフセットした点Ｏ1、Ｏ2を中心とする外周球面と内周球面で構成した固定型等速自在継手において、外側継手部材の案内溝のボール中心軌跡Ｔ１を保持器５の外周球面の中心Ｏ1を中心とする円弧にするとともに、内側継手部材の案内溝のボール中心軌跡Ｔ２を保持器５の内周球面の中心Ｏ2を中心とする円弧にし、かつ、ボール４を収容する保持器５の窓６の外周側窓開き寸法を、窓の内側に張出す張出し部６ａ２、６ｂ２によってボール４の径より小さくしたことを特徴とする。【選択図】図１
2007010079.tif 000002
【特許請求の範囲】
【請求項１】
球面状の内周面に軸方向に延びる複数の案内溝を形成した軸付きカップ状の外側継手部材と、球面状の外周面に軸方向に延びる複数の案内溝を形成した内側継手部材と、外側継手部材の案内溝と内側継手部材の案内溝とが協働して形成する複数のボールトラックに１個ずつ配されたトルク伝達用のボールと、前記ボールを保持する保持器とを備え、前記保持器の外周面と内周面を、継手中心を挟んで軸方向反対側に等距離だけオフセットした点を中心とする外周球面と内周球面で構成した固定型等速自在継手において、前記外側継手部材の案内溝のボール中心軌跡を前記保持器の外周球面の中心を中心とする円弧にするとともに、前記内側継手部材の案内溝のボール中心軌跡を前記保持器の内周球面の中心を中心とする円弧にし、かつ、前記ボールを収容する保持器の窓の外周側窓開き寸法を、窓の内側に張出す張出し部によって前記ボールの径より小さくしたことを特徴とする固定型等速自在継手。
【請求項２】
前記内側継手部材の案内溝のボール中心軌跡の円弧の中心を、継手中心よりも前記外側継手部材の開口側に所定距離だけ偏心させたことを特徴とする請求項１の固定型等速自在継手。
【請求項３】
前記保持器の張出し部を、保持器とは別体で構成したことを特徴とする請求項１又は２の固定型等速自在継手。
【請求項４】
前記保持器の内周球面のうち前記窓から継手開口側を肉盗みして前記窓に連続する円筒面にするとともに、この肉盗みした部分に環状の座面用部材を嵌合し、前記座面用部材の外側に止め輪を装着したことを特徴とする請求項１又は２の固定型等速自在継手。
【請求項５】
前記内側継手部材と保持器との間に、内側継手部材と保持器を軸線方向に相対変位させる方向に附勢する弾性部材を介装したことを特徴とする請求項１から３のいずれかの固定型等速自在継手。
【請求項６】
前記外側継手部材と保持器との間に、外側継手部材と保持器を軸線方向に相対変位させる方向に附勢する弾性部材を介装したことを特徴とする請求項１から３のいずれかの固定型等速自在継手。
【請求項７】
前記ボールと保持器との間に、ボールと保持器を軸線方向に相対変位させる方向に附勢する弾性部材を介装したことを特徴とする請求項１から３のいずれかの固定型等速自在継手。
【発明の詳細な説明】
【技術分野】
【０００１】
本発明は、自動車や各種産業機械の動力伝達用に利用される高折曲角が可能な固定型等速自在継手に関する。
【背景技術】
【０００２】
自動車のドライブシャフトのアクスル連結部や、ステアリングシャフトのシャフト折曲げ連結部には、固定型等速自在継手が一般に使用される。この固定型等速自在継手として、従来、ゼッパ型等速自在継手やアンダーカットフリー型（以下ＵＪ型という）等速自在継手が知られている。ゼッパ型等速自在継手は、外側継手部材と内側継手部材の各案内溝のボール中心軌跡が、継手軸線上で継手中心から両方向にそれぞれ等距離離れた点を中心とする半径の等しい円弧である。すなわち、ボール中心軌跡は継手中心から軸方向両側に等距離だけ離れた点を中心とする一対の等大球の子午線となっている（特許文献１参照）。また、外側継手部材の内径球面の中心と、内側継手部材の外径球面の中心は、それぞれ継手の中心に一致している。
【０００３】
これに対してＵＪ型等速自在継手は、ゼッパ型等速自在継手の最大折曲角（概ね４８゜）よりも高作動角（概ね５２°）とするために発明されたもので、外側継手部材の案内溝のボール中心軌跡が、上記ゼッパ型の子午線の円弧のうち、継手中心を通る軸直角断面より外側継手部材の開口側の部分が継手軸と平行な直線となっている（特許文献２参照）。
【０００４】
継手の作動角をさらに大きく、例えば６０°程度にするには、ボールを外側継手部材の案内溝から外側に出さざるを得ない。そのとき、保持器の軸方向に対向する一対のボール案内面が保持器の半径方向に平行な平面であると、ボールが保持器の窓から外側に脱落してしまい、等速自在継手はその機能を失う。
【０００５】
【特許文献１】米国特許第２０４６５８４号公報
【特許文献２】特開昭５３−６５５４７号公報
【発明の開示】
【発明が解決しようとする課題】
【０００６】
ゼッパ型等速自在継手の折曲角が４８°程度に制約される理由は次の理由による。すなわち、ゼッパ型等速自在継手では、継手を折曲角を付けて回転させるとき、高折曲角になるほど、ボールは保持器の窓の中で継手中心から半径方向外方へと変位する。保持器の案内面は、ボールのこのような半径方向の変位を許容する形状すなわち保持器半径方向に平行な平面にせざるを得ないから、ボールの飛出しを防止することができない。結局、ボールは必ず外側継手部材の案内溝の中に収まっていなければならない。このような制約から、ゼッパ型等速自在継手の最大折曲角は４８°程度が限界であった。
【０００７】
本発明の目的は、ボールを脱落させることなく外側継手部材の外側に出すことにより、従来以上の高作動角を実現可能な固定型等速自在継手を提供することにある。
【課題を解決するための手段】
【０００８】
前記課題を解決するため、請求項１の発明は、球面状の内周面に軸方向に延びる複数の案内溝を形成した軸付きカップ状の外側継手部材と、球面状の外周面に軸方向に延びる複数の案内溝を形成した内側継手部材と、外側継手部材の案内溝と内側継手部材の案内溝とが協働して形成する複数のボールトラックに１個ずつ配されたトルク伝達用のボールと、前記ボールを保持する保持器とを備え、前記保持器の外周面と内周面を、継手中心を挟んで軸方向反対側に等距離だけオフセットした点を中心とする外周球面と内周球面で構成した固定型等速自在継手において、前記外側継手部材の案内溝のボール中心軌跡を前記保持器の外周球面の中心を中心とする円弧にするとともに、前記内側継手部材の案内溝のボール中心軌跡を前記保持器の内周球面の中心を中心とする円弧にし、かつ、前記ボールを収容する保持器の窓の外周側窓開き寸法を、窓の内側に張出す張出し部によって前記ボールの径より小さくしたことを特徴とする。
【０００９】
本発明の固定型等速自在継手では、外側継手部材と内側継手部材を高作動角又は限界作動角に折曲げた状態で、折曲角の外側に位置するボールを外側継手部材の開口端から外側に出した場合でも、窓の外周側窓開き寸法を、窓の内側に張出す張出し部によってボールの径よりも小さくしているので、ボールを内側継手部材の案内溝に保持することができ、保持器の窓から半径方向外方に脱落するのを防止することができる。また、ボールの中心軌跡は、このような保持器の窓の張出し部によるボールの飛び出しを防止するために、従来のように継手中心から半径方向外方に変位させるのではなく、任意の折曲角でボールが半径方向に変位しないように、内側継手部材の案内溝のボール中心軌跡を保持器の内周球面の中心を中心とする円弧にしている。
【００１０】
請求項２の発明は、請求項１の発明において、前記内側継手部材の案内溝のボール中心軌跡の円弧の中心を、継手中心よりも前記外側継手部材の開口側に所定距離だけ偏心させたことを特徴とする。
【００１１】
請求項３の発明は、請求項１または２の発明において、前記保持器の張出し部を、保持器とは別体で構成したことを特徴とする。
これにより、保持器の窓に対してその外径側からボールを装入することが可能になり、ボールを装入した後に張出し部を後付けするという組立方法を採用することができる。
【００１２】
請求項４の発明は、請求項１または２の発明において、前記保持器の内周球面のうち前記窓から継手開口側を肉盗みして前記窓に連続する円筒面にするとともに、この肉盗みした部分に環状の座面用部材を嵌合し、前記座面用部材の外側に止め輪を装着したことを特徴とする。
本発明は保持器の窓の外周側窓開き寸法を張出し部によってボールの径よりも小さくしているので、継手の組立にあたりボールを保持器の外径側から装入することができない。そこで、外側継手部材に組付けた保持器の内径側からボールを窓に装入した後、その保持器内に内側継手部材を軸線方向からストレートに挿入して組立可能にするため前記構成を採用する。保持器内に内側継手部材を挿入した後、座面用部材と止め輪を取付ける。
【００１３】
請求項５の発明は、請求項１から３の発明において、前記内側継手部材と保持器との間に、内側継手部材と保持器を軸線方向に相対変位させる方向に附勢する弾性部材を介装したことを特徴とする。
これにより、保持器が継手奥側に附勢されるとともに、内側継手部材が弾性部材からの反力により継手外側に附勢される結果、ボールが保持器の窓の張出し部によって内側に押圧され、内側継手部材の案内溝とボールとの間のバックラッシュ隙間が解消される。この隙間が解消されることにより、継手の回転方向のガタツキが低減される。なお、内側継手部材と保持器との間に、両者が軸方向に相対移動可能なようにわずかな隙間を形成しておく。
【００１４】
請求項６の発明は、請求項１から３の発明において、前記外側継手部材と保持器との間に、外側継手部材と保持器を軸線方向に相対変位させる方向に附勢する弾性部材を介装したことを特徴とする。
【００１５】
これにより、保持器が弾性部材により継手外側（または内側）に附勢される結果、外側継手部材の案内溝とボールとの間のバックラッシュ隙間が解消される。この隙間が解消されることにより、継手の回転方向のガタツキが低減される。なお、外側継手部材と保持器との間に、両者が軸方向に相対移動可能なようにわずかな隙間を形成しておく。
【００１６】
請求項７の発明は、請求項１から３の発明において、前記ボールと保持器との間に、ボールと保持器を軸線方向に相対変位させる方向に附勢する弾性部材を介装したことを特徴とする。
【００１７】
これにより、ボールが弾性部材によって継手奥側または継手開口側に附勢される結果、保持器の窓の案内面とボールとの間のバックラッシュ隙間が解消されるとともに、ボールが保持器の窓の張出し部によって保持器内側に押圧されることにより、内側継手部材の案内溝とボールとの間のバックラッシュ隙間も解消される。この隙間が解消されることにより、継手の回転方向のガタツキが低減される。なお、ボールと保持器との間に、両者が軸方向に相対移動可能なようにわずかな隙間を形成しておく。
【発明の効果】
【００１８】
本発明の固定型等速自在継手は、継手に折曲角を付けて回転させてもボールが保持器の窓の中で継手中心から半径方向に変位しないようにして、保持器の窓の外周側窓開き寸法を張出し部によって狭めることを可能とし、もってボールを外側継手部材の開口端から外側に出した場合でも、ボールを内側継手部材の案内溝に保持することができて保持器の窓から半径方向外方に脱落するのを防止することができる。これによって外側継手部材と内側継手部材の作動角を極限まで増大させることができる。
【００１９】
また、本発明は、保持器と、内側継手部材、外側継手部材またはボールとの間に、これらを軸線方向に相対変位させる方向に附勢する弾性部材を介装したので、ボール回りのバックラッシュ隙間を解消することができ、シュアなハンドリングを実現することができる。
【発明を実施するための最良の形態】
【００２０】
以下、本発明の実施の形態を図１〜図６に基づいて説明する。図１は本発明に係る固定型等速自在継手を示したもので、図１（Ａ）が作動角０°の状態、図１（Ｂ）が限界作動角（６０°）をとった状態である。この固定型等速自在継手は、図２のように、内周球面１ａに８本の曲線状の案内溝１ｂを軸方向に形成した軸付きカップ状の外側継手部材１と、外周球面２ａに８本の曲線状の案内溝２ｂを軸方向に形成し、スプライン（またはセレーション）孔２ｃを有する内側継手部材２と、スプライン孔２ｃに一端が嵌合されたシャフト３と、外側継手部材１の案内溝１ｂと内側継手部材２の案内溝２ｂとが協働して形成する８本のボールトラックに１個ずつ配されたトルク伝達用ボール４と、ボール４を保持する保持器５とで構成される。図では、案内溝の数が８の場合を示しているが、溝の数は、９、１０、１１、１２、…と増やす場合もある。
【００２１】
固定型等速自在継手はダブルオフセット型であって、図１（Ａ）のように、外側継手部材１と内側継手部材２の二つの円弧状案内溝１ｂ，２ｂの中心Ｏ1、Ｏ2は、継手の中心Ｏに対して、それぞれ、軸方向反対側に等距離だけオフセットされる。この実施形態では外側継手部材１の案内溝１ｂの中心Ｏ1を継手奥側に配置し、内側継手部材２の案内溝２ｂの中心Ｏ2を継手開口側に配置する。これにより、案内溝１ｂと、これに対応する案内溝２ｂとが協働して形成するボールトラックは、継手の開口側に向って閉じた楔状となる。図１（Ａ）（Ｂ）ではボール中心軌跡を一点鎖線で示す。外側継手部材１の案内溝１ｂのボール中心軌跡Ｔ１の円弧中心が中心Ｏ1に一致し、内側継手部材２の案内溝２ｂのボール中心軌跡Ｔ２の円弧中心が中心Ｏ2に一致する。継手中心Ｏは、これらボール中心軌跡Ｔ１、Ｔ２同士の交差点ＣＰを通る垂線と継手軸線との交点である。
【００２２】
図１（Ａ）に示すように、二軸が角度変位しない場合、すなわち二軸の回転軸線が一直線となった状態では、すべてのトルク伝達ボール４の中心が継手中心Ｏを含み回転軸線に垂直な平面内にある。外側継手部材１と内側継手部材２とが図１（Ｂ）のように例えば角度θだけ角度変位すると、保持器５によってトルク伝達ボール４が、角度θを二等分する平面内に配向せしめられ、これにより継手の等速性が確保される。
【００２３】
保持器５は円環状部材で構成され、保持器５の周壁に、ボール４と同数の窓６が研削やミーリング等で貫通形成される。窓６の形状は例えば矩形であって、保持器５の円周方向に等間隔で形成される。保持器５の外周面は外側継手部材１の内周球面１ａと摺接する外周球面５ａとされるとともに、内周面は内側継手部材２の外周球面２ａと摺接する内周球面５ｂとされる。外周球面５ａの中心は、外側継手部材１の案内溝１ｂの中心Ｏ1に一致しており、案内溝１ｂの深さは一定である。内周球面５ｂの中心は、内側継手部材２の案内溝２ｂの中心Ｏ2に一致しており、案内溝２ｂの深さは一定である。従来のゼッパー型等速自在継手は外周球面５ａと内周球面５ｂの中心を継手中心Ｏに一致させているので、継手に折曲角がつくとボール４が保持器５の窓４内で半径方向に変位する。本発明はこのようなボール４の変位を起こさないように前記構成を採用する。
【００２４】
保持器５の継手入口側内周面は、内側継手部材２を同軸状態で挿入可能な大きさの円筒面５ｃとされる。円筒面５ｃの奥側は窓４に連続する。この円筒面５ｃに、継手の組立完了後に止め輪７を嵌合するための溝部５ｄが形成される。保持器５の円筒面５ｃに、内側継手部材２の外周球面２ａと摺接する座面用部材８が嵌合され、この座面用部材８の外側に止め輪７が装着される。
【００２５】
本発明では、保持器５の窓６の外側窓開き寸法を、図３（Ａ）（Ｂ）のように、窓６の内側に張出す張出し部（６ａ２と６ｂ２）によって、ボール４の径（間隔Ｄ１と等しい）よりもやや狭くしている。張出し部（６ａ２と６ｂ２）の張出し寸法はごく小さなものであり、図３（Ｂ）は分かりやすくするため図３（Ａ）の張出し部（６ａ２と６ｂ２）を視覚的に誇張して示す。詳しくは、保持器５の窓６の継手軸方向に対向する一対のボール案内面６ａ、６ｂを、保持器５の外周球面５ａと内周球面５ｂの中間に位置する仮想球面Ｓの内側部分６ａ１、６ｂ１では互いに平行にするが（間隔Ｄ１）、仮想球面の外側部分６ａ２、６ｂ２ではボール４の表面曲率に合わせた円筒面とする（最小間隔Ｄ２）。図３ではボール案内面６ａ、６ｂの内側部分６ａ１、６ｂ１を仮想球面Ｓよりもやや外側寄りまで延在した状態で図示するが、これは保持器５の内外のボール突出量を等しくするためである。保持器５の内外のボール突出量は継手の機能上は必ずしも等しくする必要はないので、仮想球面Ｓを境として内側部分６ａ１、６ｂ１と外側部分６ａ２、６ｂ２を分けてもよい。
【００２６】
本発明に係る等速自在継手は以上のように構成され、外側継手部材１と内側継手部材２が図１（Ａ）の作動角０°の状態では、ボール４が、外側継手部材１の案内溝１ｂと内側継手部材２の案内溝２ｂの曲率中心Ｏ1、Ｏ2のオフセットによる効果で、継手中心Ｏを含み回転軸線に垂直な平面内に保持され、この状態でトルク伝達が行なわれる。
【００２７】
次に、外側継手部材１と内側継手部材２が図１（Ｂ）のように限界作動角θまで折曲げられた状態では、シャフト３が外側継手部材１の開口端に当接する。トルク伝達ボール４は保持器５によって角度θを二等分する平面内に配向せしめられ、これによって継手の等速性が確保される。この際、折曲角の外側に位置するボール４は外側継手部材１の開口端から外側に出ても、本発明の等速自在継手では窓６の外周側窓開き寸法Ｄ２をボール４の径（Ｄ１）よりも小さくしているので、ボール４が保持器５の窓６から半径方向外方に脱落することがない。したがって、ボール４は内側継手部材２の案内溝２ｂに保持され、継手の回転が進むと再び外側継手部材１の案内溝１ｂに入っていく。
【００２８】
ボール４の中心軌跡Ｔ１、Ｔ２の中心Ｏ1、Ｏ2のうち、中心Ｏ1は継手の折曲角によらず位置が一定である。これに対して、中心Ｏ2は継手のシャフト３の折曲角に対応して継手中心Ｏを中心として回転移動する。中心Ｏ2から見ると、シャフト３の折曲角によらず、ボール４までの距離は不変であり、かつ、内側継手部材２の外周球面２ａないし保持器５の内周球面５ｂまでの距離も不変である。このため、任意の折曲角でボール４が保持器５の窓４内で半径方向に変位せず、ボール４は外側継手部材１の内外において内側継手部材２の案内溝２ｂに保持される。したがって、図１（Ｂ）のようにボール４が外側継手部材１の開口端から外側に出てもボール４が脱落しないのである。
【００２９】
以上、本発明の実施形態につき説明したが、本発明は前記実施形態に限定されることなく種々の変形が可能である。以下に本発明の変形例を図４〜図６に基づき順に説明する。これら変形例は、いずれも、ボール回りのバックラッシュ隙間を解消して継手回転時のガタつきを防止するものである。
【００３０】
図４は、内側継手部材２と保持器５との間に、内側継手部材２と保持器５を軸線方向に相対的に離間する方向に附勢する円柱状の弾性部材１１と、この弾性部材１１の力を保持器５に作用させる皿状部材１２を介装したものである。弾性部材１１としては、天然ゴムやウレタンゴムなどの各種合成ゴムの他、コイルばね等を採用することができる。弾性部材１１の基部はシャフト３の先端凹所３ａに固定的に嵌合され、弾性部材１１の先端が外側継手部材１の奥側に向って延在する。皿状部材１２がその凹面を弾性部材１１側にして弾性部材１１の先端に被嵌し、皿状部材１２の中央に弾性部材１１の先端が摺動自在に当接する。弾性部材１１の先端面に、必要に応じて、フッ素樹脂のテフロン（登録商標）（米国デュポン社の登録商標）などの低摩擦材を貼付ける。皿状部材１２の周縁部は、保持器５の継手奥側内径に形成された段部５ｅに係合される。皿状部材１２の凹面は継手の中心Ｏを中心とする球面であって、内側継手部材２の外周球面２ａと同曲率で連続的に延在する。弾性部材１１には初期セッティングで所定の圧縮力が付与され、弾性部材１１の復元伸長力が保持器５に対して内側継手部材２から相対的に離間する方向の附勢力として作用する。
【００３１】
この第１変形例によれば、内側継手部材２が弾性部材１１からの反力により継手外側に附勢される結果、内側継手部材２の案内溝２ｂとボール４との間のバックラッシュ隙間が解消される。
【００３２】
図５は、外側継手部材１と保持器５との間に、外側継手部材１と保持器５を軸線方向に相対的に離間する方向に附勢する杯状の弾性部材１３を介装したものである。弾性部材１３としては、天然ゴムやウレタンゴムなどの各種合成ゴムの他、コイルばね等を採用することができる。弾性部材１３の軸状基部１３ａが外側継手部材１の奥側凹所１ｃに嵌合され、弾性部材１３の杯部１３ｂが外側継手部材１の内側に拡がる。杯部１３ｂの球状凹面に椀状部材１４の球状凸面が摺動自在に嵌合し、この椀状部材１４の周縁部が、保持器５の継手奥側に形成された段部５ｆに係合する。杯部１３ｂの球状凹面ないし椀状部材１４の球状凸面の曲率中心は、継手の中心Ｏに一致する。杯部１３ｂの球状凹面に、必要に応じてフッ素樹脂のテフロン（登録商標）（米国デュポン社の登録商標）などの低摩擦材を貼付ける。なお、杯部１３ｂを弾性部材１３と一体ではなく、別体の金属製又は樹脂製部材とすることも可能である。この場合、軸状基部１３ａと杯部１３ｂとを嵌合、接着又はねじ止めなどで一体連結する。
【００３３】
この第２変形例によれば、保持器５が弾性部材１３により継手外側に附勢される結果、外側継手部材１の案内溝１ｂとボール４との間のバックラッシュ隙間が解消される。
【００３４】
図６は、ボール４と保持器５との間に、ボール４と保持器５を軸線方向に相対的に変位させる方向に附勢する弾性部材１５を介装したものである。弾性部材１５としては、天然ゴムやウレタンゴムなどの各種合成ゴムを採用することができる。すなわち、保持器５の窓６の外径側縁部に段部６ｃが形成され、この段部６ｃを埋めるように弾性部材１５が嵌合される。ボール４と保持器５との間には、このようなボールの変位を許容するわずかな隙間を設けておく。弾性部材１５の内面は、ボール４を嵌合する前の初期状態で、窓６の外周側窓開き寸法を図３の状態よりもさらに狭めるように張出す。ボール４を嵌合することで、弾性部材１５の内面がやや圧縮されて図３の状態と等しくなる。この状態で、弾性部材１５の復元力がボール４に対して図６で左方すなわち継手奥側方向の附勢力として作用する。なお、弾性部材１５の内面に必要に応じてフッ素樹脂のテフロン（登録商標）（米国デュポン社の登録商標）などの低摩擦材を貼付ける。
【００３５】
この第３変形例によれば、ボール４が弾性部材１５によって継手奥側に附勢される結果、保持器５の窓６の案内面６ａとボール４との間のバックラッシュ隙間が解消される。
【００３６】
以上、本発明の実施形態と変形例につき説明したが、本発明は前記実施形態又は変形例に限定されることなく、特許請求の範囲に記載した技術的思想に基づき種々の変形が可能であって、例えば図４〜図６の３つの変形例のうち、任意の２例を組合わせるか、あるいは３例すべてを組合わせた構成とすることも可能である。
【図面の簡単な説明】
【００３７】
【図１】（Ａ）（Ｂ）は、本発明に係る固定型等速自在継手の縦断面図。
【図２】本発明に係る固定型等速自在継手の横断面図。
【図３】（Ａ）はボール回りの拡大断面図、（Ｂ）は保持器の窓のボール案内面を誇張した断面図。
【図４】本発明の第１変形例に係る固定型等速自在継手の縦断面図。
【図５】本発明の第２変形例に係る固定型等速自在継手の縦断面図。
【図６】本発明の第３変形例に係る固定型等速自在継手の縦断面図。
【符号の説明】
【００３８】
１      外側継手部材
１ａ    外側継手部材の内周球面
１ｂ    外側継手部材の案内溝
２      内側継手部材
２ａ    内側継手部材の外周球面
２ｂ    内側継手部材の案内溝
２ｃ    内側継手部材のスプライン孔
３      シャフト
４      トルク伝達ボール
５      保持器
５ａ    保持器の外周球面
５ｂ    保持器の内周球面
５ｃ、５ｄ      保持器の段部
６      保持器の窓
６ａ、６ｂ      窓のボール案内面
６ａ１、６ｂ１  ボール案内面の内側部分
６ａ２、６ｂ１    ボール案内面の外側部分
７      止め輪
８      座面用部材
１１、１３、１５  弾性部材
１２    皿状部材
１４    椀状部材
Ｓ      仮想球面
【図１】
2007010079.tif 000003
【図２】
2007010079.tif 000004
【図３】
2007010079.tif 000005
【図４】
2007010079.tif 000006
【図５】
2007010079.tif 000007
【図６】
2007010079.tif 000008